(57)【要約】      （修正有）【課題】斬新で、視覚的変化に富み、且つ飽きが生じ難く、且つ低コストで製造可能な生地製品の装飾構造を提供する。【解決手段】透過性を有さない下生地１２と、上記下生地上に重ね合わせて配置され、透過性を有する上生地１３とを備え、上記下生地及び上記上生地の一方面部には、同一の図絵からなる装飾部１４，１５が重なった状態で配設された構成とする。上生地が透過性を有していることから、上記上生地に印刷された図絵部分を通して、下生地に印刷された図絵を透過して視認することができる。従って、上生地が下生地から僅かに浮き上がった状態で配置され、且つ上記上生地が上記下生地の一方面部に沿って微小に移動した場合、互いの図絵の位置が僅かにずれて配置される。この結果、下生地に印刷された図絵は、浮かび上がった上生地の図絵を通して視認されることによって、装飾部が立体的であるかのように視認される。【選択図】図２
0003165789.tif 000002
【実用新案登録請求の範囲】
【請求項１】
透過性を有さない下生地と、
上記下生地上に重ね合わせて配置され、透過性を有する上生地とを備え、
上記下生地の表面部、及び上記上生地の表面部には、同一の図絵からなる装飾部が、互いに重なるように配設されていることを特徴とする生地製品の装飾構造。
【請求項２】
上記上生地と上記下生地は、上記上生地の周縁部に沿って互いに固定されていることを特徴とする請求項１記載の生地製品の装飾構造。
【請求項３】
上記上生地と上記下生地は、上記上生地の一方面部に複数配置された固定ラインに沿って互いに固定されていることを特徴する請求項１記載の生地製品の装飾構造。
【請求項４】
上記上生地と上記下生地は、逢着により互いに固定されていることを特徴とする請求項１または請求項２記載の生地製品の装飾構造。
【請求項５】
上記上生地と上記下生地は、熱.溶着により互いに固定されていることを特徴とする請求項１または請求項２記載の生地製品の装飾構造。
【請求項６】
上記上生地は、網目状に形成されていることを特徴とする請求項１から請求項５何れか１項に記載の生地製品の装飾構造。
【考案の詳細な説明】
【技術分野】
【０００１】
本考案は、生地製品の装飾構造に関する。
【背景技術】
【０００２】
服飾業界における流行のサイクルは非常に早く、常に新しいデザインの被服の提供が求められている。
その中で、被服の素材となる生地製品の装飾は、製品となる被服の外観品質を決定する上で非常に重要な要素であり、常に新しい装飾方法が日々探求されている。
【０００３】
一般的な生地製品の装飾方法としては、特定色への染色、模様や図絵の印刷等が挙げられる他、ビーズ等貼り付けて立体的な模様を描画する方法も用いられている。
しかしながら、何れの場合であっても、装飾模様は固定されており、視覚的変化に乏しいことから、斬新なデザインであっても、経年使用によって飽きられてしまうという不具合を有していた。
【０００４】
また、立体視可能な装飾構造の例として、生地の一方面部にレンチキュラーレンズを配設し、描画した図絵の視認角度によって図絵が立体的に変化する方法も考えられる。
しかしながら、生地の一方面部に合成樹脂シートからなるレンチキュラーレンズを配設する場合、図絵の精密な配置及び、レンチキュラーレンズの加工等が必要となるため、製作工程が非常に複雑となり、コスト高となると共に、柔軟性、通気性等の被服の必須要件を満たすことが難しいという不具合を有していた。
【０００５】
以上のように、視覚的変化に富み、飽きが生じにくい生地製品の装飾構造は、現在までにおいて、有効な方法が提案されていなかった。
【考案の開示】
【考案が解決しようとする課題】
【０００６】
本考案の課題は、上記不具合を解消し、斬新で、視覚的変化に富み、且つ飽きが生じ難く、且つ低コストで製造可能な生地製品の装飾構造を提供することにある。
【課題を解決するための手段】
【０００７】
上記課題を解決するため、請求項1に記載した考案に係る生地製品の装飾構造は、透過性を有さない下生地と、上記下生地上に重ね合わせて配置され、透過性を有する上生地とを備え、上記下生地の表面部、及び上記上生地の表面部には、同一の図絵からなる装飾部が、互いに重なるように配設されていることを特徴とする。
【０００８】
上生地が透過性を有していることから、上記上生地に印刷された図絵部分を通して、下生地に印刷された図絵を透過して視認することができる。
従って、上生地が下生地から僅かに浮き上がった状態で配置され、且つ上記上生地が上記下生地の一方面部に沿って微小に移動した場合、互いの図絵の位置僅かにずれて配置される。
この結果、下生地に印刷された図絵は、浮かび上がった上生地の図絵を通して視認されることによって、装飾部が立体的であるかのように視認される。
【０００９】
また、請求項２に記載した考案に係る生地製品の装飾構造は、上記上生地と上記下生地は、上記上生地の周縁部に沿って互いに固定されていることを特徴とする。
【００１０】
従って、上記上生地は、周縁部以外は、上記した生地と固定されていないため、上記上生地が上記下生地の一方面部上を移動し易くなる。
【００１１】
また、請求項３に記載した考案に係る生地製品の装飾構造は、上記上生地と上記下生地は、上記上生地の一方面部に複数配置された固定ラインに沿って互いに固定されていることを特徴する。
【００１２】
従って、生地製品を所定の形状に切り取った場合でも、上記上生地と上記下生地が剥離することがなく、任意の形状に裁断して使用することができる。
【００１３】
また、請求項４に記載した考案に係る生地製品の装飾構造は、上記上生地と上記下生地は、逢着により互いに固定されていることを特徴とする。
従って、固定作業に複雑な装置は不要である。
【００１４】
また、請求項５に記載した考案に係る生地製品の装飾構造は、上記上生地と上記下生地は、熱溶着により互いに固定されていることを特徴とする。
従って、固定部分に糸等の逢着材が配置されないため、固定部分が視認され難くなる。
【００１５】
また、請求項６に記載した考案に係る生地製品の装飾構造は、上記上生地は、網目状に形成されていることを特徴とする。
【００１６】
従って、上記上生地の網目部分を介して、上記下生地の図絵を透過して視認することができる。
【考案の効果】
【００１７】
請求項１の考案にあっては、透過性を有さない下生地と、上記下生地上に重ね合わせて配置され、透過性を有する上生地とを備え、上記下生地の表面部、及び上記上生地の表面部には、同一の図絵からなる装飾部が、互いに重なるように配設されていることから、下生地の図絵に対する上生地の図絵の浮き上がり具合、若しくはずれ具合によって、上生地に印刷された図絵が、恰も下生地から浮かび上がったように視認される。
従って、上生地が動くことによって、常に図絵が変化して、擬似的に立体視されるため、斬新で、視覚的変化に富み、且つ飽きが生じ難い生地製品の装飾構造を提供することができる。
加えて、上記生地製品は、上生地と下生地に同一の図絵を印刷した後に、上記図絵が互いに重なるように配置するのみで製造しうることから、製造工程が非常に単純である。
従って、低コストで製造可能な生地製品の装飾構造を提供することができる。
【００１８】
また、請求項２の考案にあっては、上記上生地と上記下生地は、上記上生地の周縁部に沿って互いに固定されていることから、上記上生地が上記下生地の一方綿部に沿って移動し易く、図柄の変化がより大きくなり、装飾効果が向上する。
【００１９】
また、請求項３の考案にあっては、上記上生地と上記下生地は、上記上生地の一方面部に複数配置された固定ラインに沿って互いに固定されていることから、生地製品を所定の形状に切り取った場合でも、上記上生地と上記下生地が剥離しない。
従って、生地製品の形状加工が、より容易となる。
【００２０】
また、請求項４に記載した考案に係る生地製品の装飾構造は、上記上生地と上記下生地は、逢着により互いに固定されていることを特徴とする。
従って、固定作業に複雑な装置は不要であり、製造コストを更に低減することができる。
【００２１】
また、請求項５の考案にあっては、上記上生地と上記下生地は、熱溶着により互いに固定されていることから固定ラインが目立ち難く、図絵の装飾効果がより向上する。
【００２２】
また、請求項６の考案にあっては、上記上生地は、網目状に形成されていることから、上記上生地の透過性が高く、上記上生地に印刷された図絵が、より立体的に視認され易い。
【図面の簡単な説明】
【００２３】
【図１】本考案に係る生地製品の装飾構造の一実施の形態を示し、上生地と下生地の重ね合わせ操作を示す全体斜視図である。
【図２】本考案に係る生地製品の装飾構造の一実施の形態を示し、上生地と下生地を重ね合わせて固定し、上生地の図絵を下生地の一方面部に沿って僅かに移動させた状態を示す平面図である。
【考案を実施するための最良の形態】
【００２４】
以下、本考案に係る生地製品の装飾構造を、上生地と下生地が、上記上生地の周縁部において逢着によって互いに固定されている場合を例として、添付図面を用いて説明する。  
図１に示すように、本実施の形態に係る生地製品１０の装飾構造１１は、透過性を有さない下生地１２と、上記下生地１２と重ね合わせて配置され、透過性を有する上生地１３とを備え、上記下生地１２、及び上記上生地１３の一方面部１２ａ、１３ａには、同一の図絵からなる装飾部１４、１５が、互いに重なるように配設されている。
また、上記上生地１３と上記下生地１２とは、上記上生地１３の周縁部１６に沿って逢着によって互いに固定されている。
また、上記上生地１３は、所謂オーガンディーと称される、細かい網目状に形勢され、薄く且つ透過性の高い布地から形成されている。
【実施例１】
【００２５】
本考案の実施例の構成について、添付図面を用いて詳述する。
図１に示すように、下生地１２は、綿、絹若しくはナイロン等の合成繊維からなる布地であって、一般的な被服に用いられている生地と同様である。
下生地１２上の装飾部１４の図絵は、模様その他の図柄、若しくは写真であり、公知の印刷手法によって、下生地１２の一方面部１２ａ上に印刷されている。
【００２６】
また、上記上生地１３は、合成繊維から形成されたオーガンディーであり、極めて透過性が高く、装飾部以外はほぼ透明に視認される。
また、装飾部１５には、上記下生地１２の装飾部１４に印刷された図絵と同一の図絵が、同一の印刷手法によって印刷されている。
【００２７】
図１に示すように、図中矢印Ａに示すように、下生地１２と上生地１３を装飾部１４、１５の位置が合致するように重ね合わせて配置する。
更に、図２に示すように、上記上生地１３の周縁部１６において、逢着線１７に沿って、上記下生地１２と上記上生地１３は互いに固定されている。
即ち、装飾部１４、１５の位置においては、上記下生地１２と上記上生地１３は互いに固定されていないため、上記上生地１３は、上記下生地１２の一方面部１２ａに沿って比較的に自由に移動させることができる。
【００２８】
従って、図２に示すように、上記下生地１２の装飾部１４の図絵と、上記上生地の装飾部１５の図絵の位置が、上記下生地１２の一方面部１２ａに沿って微小にずれた場合、上記上生地１３の透過性が高いことから、上記上生地１３の装飾部１５の図絵が薄く透き通って視認され、上記装飾部１５を介して、装飾部１４の図絵が上記装飾部１５に対して僅かにずれて視認される。
従って、装飾部１５の図絵が、恰も装飾部１４の図絵のから浮かび上がった立体図絵であるかのように視認される。
【００２９】
以上のように、本実施例の形態によれば、従来のビーズ貼り付け加工やレンチキュラーレンズを用いた複雑な加工を行うことなく、非常に単純な構造で、擬似的に立体視しうる模様の装飾を施すことができる。
また、ビーズやレンチキュラーレンズ等のように、本来、被服素材には馴染まない硬い構成部材を用いる必要が無く、柔らかで肌触りの良い生地製品を提供することができる。
【００３０】
また、図２においては、上生地１３の周縁部に沿って、上生地１３と下生地１２は互いに固定されているが、例えば、図２中において、上生地１３の幅方向、若しくは長さ方向に沿って、所定間隔寸法離間し手配設された複数の固定ラインによって、上生地１３と下生地１２を固定することもできる。
この場合であっても、本実施例の上記効果と同様の作用効果を得ることができる。
更に、生地製品１０を任意の形に裁断した場合であっても、上記上生地１３が下生地１２から剥離してしまうことが無い旨の別途の作用効果を奏する。
【００３１】
また、図２においては、上生地１３と下生地１２の固定手段として逢着を用いているが、上生地１３と下生地１２が熱可塑性の合成樹脂から形成されている場合には、熱溶着手段によって、固定することもできる。
この場合、逢着手段と比較して、固定部分が目立ち難いため、製品の外観品質に影響を与え難い旨の、別途の作用効果を奏する。
【００３２】
なお、生地製品の形状、大きさは、特に本実施例の形態に限定する必要は無く適宜変更することができる。
例えば、生地製品を、被服の形状に予め裁断した下生地に装飾を施し、同一の装飾を施した上生地を重ね合わせた上で、上記上生地を裁断し、逢着等によって下生地と固定して形成した場合であっても、本実施例と同様の作用効果を得ることができる。
また、上生地及び下生地に用いる素材は、天然繊維及び合成繊維若しくはこれらの混合の何れであっても良い。
【産業上の利用可能性】
【００３３】
本考案は、生地製品の装飾構造に適用可能である。
【符号の説明】
【００３４】
１０  生地製品
１１  装飾構造
１２  下生地
１２ａ下生地の一方面部
１３  上生地
１３ａ上生地の一方面部
１４  装飾部
１５  装飾部
１６  上生地の周縁部
１７  逢着線
【図１】
0003165789.tif 000003
【図２】
0003165789.tif 000004